(57)【特許請求の範囲】
【請求項１】
現金取扱機を設置した現金取扱機設置室に、現金取扱機の操作部前面での少なくとも前面部分と左右部分とを取り囲む状態で側壁を配置して操作ブースを区画形成し、この操作ブースを配置した現金取扱機設置室の入口に設置した出入り口扉を個人識別情報を読み取る出入り口扉用利用者識別手段からの指令により開閉制御するように構成するとともに、現金取扱機設置室内に設置した操作ブースを形成している側壁の一面に操作ブース開閉扉を配置し、この操作ブース開閉扉を自動ロック可能に構成し、操作ブース開閉扉を外部からは個人識別情報を読み取る操作ブース開閉扉用利用者識別手段からの指令により扉のロックを解除可能に構成するとともに、内部からはロック解除操作でロック解除可能に構成し、操作ブース開閉扉が閉止状態に無い状態では現金取扱機を不作動にするように構成し、現金取扱機に不自然な衝撃や振動が生じた際には、操作ブース開閉扉のロック解除操作を停止するように構成した現金取扱機操作ブースでの保安設備。
【請求項２】
操作ブース内に在室検知手段を配置した請求項１に記載の現金取扱機操作ブースでの保安設備。
【発明の詳細な説明】
【０００１】
【発明の属する分野】
この発明は、銀行や郵便局あるいは消費者金融機関等の金融機関、あるいはその他の個所に設置されている現金取扱機操作ブースでの保安設備に関する。
【０００２】
【従来の技術】
近年、金融機関では、ＣＤや多機能ＡＴＭなどの現金取扱機を設置し、通常業務の時間外でも現金の出し入れを取り扱うようにしている。従来、このような現金取扱機は、店内に設置されている場合には、ロビー等に設けたキャッシュコーナーに複数台の現金取扱機を並列して配置し、各現金取扱機同士間に小さな隔壁を設置して、操作時に手元を横から覗けないようにしているが、利用者の背後は開放されている。
【０００３】
また、店外に現金取扱機をサテライト的に設置する場合には、小部屋に１台から数台の現金取扱機を設置し、その小部屋への入り口に自由に開閉する扉を設置した構造になっていた。
【０００４】
近年、金融機関でのサービスの一環として、深夜まであるいは２４時間体制で、現金取扱機での現金の取扱を行うようになってきた。ところが、現金取扱機を設置している個所は、前述のように誰でもが出入りできるオープンスペースになっていたことから、特に、深夜等には泥酔者やいわゆるホームレスの者が入り込み易く、金融機関の管理が大変である上、利用者にとって無防備な状態であり、防犯面で問題があった。また，そのような者が入っていると、正規の利用者が不安を感じて利用しなくなり、金融機関等が本来目的とするところから離れてしまうという問題がある。
【０００５】
このような問題を解決するものとして、従来、実開平８−１４９７号に示された保安設備が提案されている。これは、現金取扱機を取り囲む状態で壁をめぐらして現金取扱機の操作ブースを形成し、そのその操作ブースへの出入口に設置した扉の開閉を該ブース内に設置した在室検知装置が利用者の在室を検知すると出入口の外からの開閉を阻止できるようにした構成になっていた。
【０００６】
【解決しようとする課題】
ところが前述の保安設備では、操作ブース内に利用者が在室している時には外部から出入口の扉を開閉することを阻止することはできるが、操作ブース設置個所へは自由に出入りできた。このため不審者の操作ブース設置個所への侵入を防止することはできず、防犯面でやはり問題が残っていた。
【０００７】
本発明は、今後増加が見込まれる２４時間体制をとる金融機関等の現金取扱機の操作ブースでのセキュリティの為の保安設備を提供することを目的とする。
【０００８】
【課題を解決するための手段】
上述の目的を達成するために本発明は、現金取扱機を設置した現金取扱機設置室内に、現金取扱機の操作部前面での少なくとも前面部分と左右部分とを取り囲む状態で側壁を配置して操作ブースを形成し、この操作ブースを配置した現金取扱機設置室の入口に設置した出入り口扉を会員カードやキャッシュカード、あるいはクレジットカード等に記録されている個人識別情報を読み取る出入り口扉用利用者識別手段からの指令により開閉制御するように構成するとともに、現金取扱機設置室内で操作ブースを形成している側壁の一面に出入り口を開設し、この出入口に配置した操作ブース開閉扉を自動ロック可能に構成し、操作ブースの操作ブース開閉扉を外部からは個人識別情報を読み取る操作ブース開閉扉用利用者識別手段からの指令により扉のロックを解除可能に構成するとともに、内部からはロック解除操作でロック解除可能に構成し、操作ブースを形成している側壁に装着した操作ブース開閉扉が閉止状態に無い状態では現金取扱機を不作動にするように構成し、現金取扱機に不自然な衝撃や振動が生じた際には、操作ブースを形成している側壁に装着した扉のロック解除操作を停止するように構成したことを特徴としている。
【０００９】
【作用】
本発明では、現金取扱機の操作ブースを現金取扱機設置室に区画して設置し、この操作ブースを配置した現金取扱機設置室の入口に設置した出入り口扉を会員カードやキャッシュカードあるいはクレジットカード等に記録されている個人識別情報を読み取る出入り口扉用利用者識別手段からの指令により開閉制御するように構成するとともに、現金取扱機設置室内で操作ブースへの出入り口に配置した操作ブース開閉扉を自動ロック可能に構成し、この操作ブース開閉扉を外部からは会員カードやキャッシュカードあるいはクレジットカード等に記録されている個人識別情報を読み取る操作ブース開閉扉用利用者識別手段からの指令でロック解除可能に構成するとともに、操作ブース内からは、ロック解除操作でロック解除可能に構成しているので真の利用者だけが操作ブースに入室できることになる。
【００１０】
また、操作ブースを形成している側壁に装着した操作ブース開閉扉が閉止状態に無い状態では現金取扱機を不作動にするように構成してあるで、正常でない状態での出入金操作を防止することが出来る。
【００１１】
さらに、現金取扱機に不自然な衝撃や振動が生じた際には、操作ブースを形成している側壁に装着した操作ブース開閉扉のロック解除操作を停止するように構成してあることから、現金支払機を破壊する行為が生じた場合に操作ブースの出入り口が開かなくなり、不法行為者が操作ブースから退室できなくなる。
【００１２】
【発明の実施形態】
図は本発明を適用した現金取扱機設置室の概略見取り図である。
この現金取扱機設置室は、金融機関の店舗から独立して設置されたいわゆるサテライトの現金取扱機操作空間であり、出入り口(１)を形成した部屋(２)内に２台の現金取扱機(３)を所定間隔へだてて併設してある。
【００１３】
各現金取扱機(３)の操作部(４)が壁面から前面に突出する状態に略Ｌ字型の区画壁(５)を設置し、この区画壁(５)でメンテナンス室(６)と操作ブース(７)とに区画してあり、隣り合う区画壁(５)(５)の対向面間をメンテナンス室(６)への通路に形成してある。なお、このメンテナンス室(６)への通路部分への入り口は、隠し扉(８)で閉じるようにしてある。
【００１４】
また、操作ブース(７)の前面部分は、それぞれ操作ブース開閉扉(９)で閉止可能に構成してあり、この操作ブース開閉扉(９)は自動ロックするように構成してある。したがって、各操作ブース(７)は、前記区画壁(５)と、操作ブース開閉扉(９)および部屋(２)の側壁部分とで独立した空間に形成してあり、操作ブース(７)および前記メンテナンス室(６)を除く現金取扱機設置室内は待合室(10)となっている。
【００１５】
上述の構成からなる現金取扱機設置室において本発明は、現金取扱機設置室の出入り口に配置されている出入り口扉(11)および操作ブース(７)の操作ブース開閉扉(９)の開閉を次のように制御するようにしたものである。
すなわち、前記出入り口扉(11)は自動ロック可能に構成してあり、この出入り口扉(11)を外部から開扉する場合には、会員カードやキャッシュカード、あるいはクレジットカード等に記録されている個人識別情報を読み取る出入り口扉用利用者識別手段(12)からの指示で開扉作動するようにしてあり、待合室(10)からはセンサー(13)からの指示で開扉作動するようにしてある。これにより、泥酔者やいわゆるホームレス者等の正規の利用権を持たない者は待合室(10)に入ることが出来ない。
【００１６】
操作ブース(７)の開閉扉(９)は自動ロック可能に構成してあり、この操作ブース開閉扉(９)を待合室(10)からは会員カードやキャッシュカード等に記録されている個人識別情報を読み取る操作ブース開閉扉用利用者識別手段(14)からの指示で開扉作動するようにしてあり、操作ブース(７)内からはロック解除操作でロック解除可能に構成してある。
【００１７】
また、この操作ブース(７)の開閉扉(９)には、全閉検知手段(15)が配置してあり、操作ブース開閉扉(９)が全閉状態にない場合には、現金取扱機(３)が作動しないように構成してある。そして、操作ブース(７)内には在室検知手段(16)が設置してあり、この在室検知手段(16)が操作ブース(７)内に利用者がいることを検知した場合には、外部から正規の操作を行った場合でも、操作ブース開閉扉(９)が開扉作動しないように構成してある。これにより、操作ブース(７)内には正規の利用権を有する者だけが入室できることになり、操作中に不審者が侵入することはない。
【００１８】
さらに現金取扱機(３)には、不自然な衝撃や振動が生じた際には操作ブース(７)の開閉扉(９)をロック機構により固定して操作ブース開閉扉(９)の開き操作が出来ないよう構成してある。これにより、現金支払機に対する破壊活動があると、その不法者を操作ブース(７)内に閉じ込め、警備者等の到着までの時間を稼ぐことができる。
【００１９】
上述の実施形態では現金取扱機の設置個所についての保安設備について説明したが、消費者金融機関の無人契約機の設置個所での保安設備に使用することもできる。また，本発明は金融機関のロビーを区画して形成している現金取扱機の操作ブースや、一般店舗や公共施設等に設置されている現金取扱機の操作ブースにも適用することができる。
【００２０】
【発明の効果】
本発明では、現金取扱機の操作ブースを現金取扱機設置室に区画して設置し、操作ブースを配置した現金取扱機設置室の入口に設置した出入り口扉を個人識別情報を読み取る出入り口扉用利用者識別手段からの指令により開閉制御するように構成するとともに、操作ブースへの出入り口を自動ロック可能に構成し、この操作ブースへの出入り口を外部からは個人識別情報を読み取る操作ブース開閉扉用利用者識別手段からの指令でロック解除可能に構成するとともに、操作ブース内からは、ロック解除操作でロック解除可能に構成しているので利用権を有する真の利用者だけが現金取扱機設置室及び操作ブースに入室できる。
【００２１】
また、操作ブースを形成している側壁に装着した扉が閉止状態に無い状態では現金取扱機を不作動にするように構成してあるので、正常でない状態での出入金操作を防止することができる。
【００２２】
さらに、現金取扱機に不自然な衝撃や振動が生じた際には、操作ブースを形成している側壁に装着した扉のロック解除操作を停止するように構成してあることから、現金支払機を破壊する行為が生じた場合に操作ブースの出入り口が開かないことから、不法行為者が操作ブースから退室できなくなる。
【図面の簡単な説明】
【図１】  現金取扱機設置室の概略見取り図である。
【図１】
0004377977.tif 000002